(57)【特許請求の範囲】
【請求項１】
１フレームにプリアンブル信号とデータ信号を備えたシングルキャリア信号を伝送する伝送装置の受信装置において、
前記シングルキャリア信号から変換された受信サンプリング系列と前記プリアンブル信号の複素共役信号との複素乗算を演算する複素乗算手段と、
前記複素乗算手段による複素乗算結果に対して、１サンプル遅延した信号の複素共役信号と遅延しない信号の複素乗算を演算する差分処理手段と、
前記差分処理手段による演算結果を所定のサンプル期間ＮＰ(ＮＰは自然数)で積分する積分手段と、
前記積分手段による積分結果をフレーム方向に平均化する加算平均手段と、
前記加算平均手段による平均化結果に対して所定の時間幅Ｗ(Ｗは自然数)を有する窓関数との畳み込み演算を行う矩形フィルタ手段と、を設け、
前記矩形フィルタ手段による畳み込み演算結果から最大値を検出し、検出した最大値に基づいて、受信信号レベルを推定することを特徴とする受信装置。
【請求項２】
１フレームにプリアンブル信号とデータ信号を備えたシングルキャリア信号を伝送する伝送装置の受信方法において、
前記シングルキャリア信号から変換された受信サンプリング系列と前記プリアンブル信号の複素共役信号との複素乗算を演算する複素乗算ステップと、
前記複素乗算ステップによる複素乗算結果に対して、１サンプル遅延した信号の複素共役信号と遅延しない信号の複素乗算を演算する差分処理ステップと、
前記差分処理ステップによる演算結果を所定のサンプル期間ＮＰ(ＮＰは自然数)で積分する積分ステップと、
前記積分ステップによる積分結果をフレーム方向に平均化する加算平均ステップと、
前記加算平均ステップによる平均化結果に対して所定の時間幅Ｗ(Ｗは自然数)を有する窓関数との畳み込み演算を行う矩形フィルタ処理ステップと、を設け、
前記矩形フィルタ処理ステップによる畳み込み演算結果から最大値を検出し、検出した最大値に基づいて、受信信号レベルを推定することを特徴とする受信方法。
【請求項３】
請求項１に記載の受信装置において、
前記推定した受信信号レベルに基づいて受信アンテナの方向調整用信号を生成し、該生成した方向調整用信号を用いて受信アンテナの方向調整を行うことを特徴とする受信装置。
【発明の詳細な説明】
【技術分野】
【０００１】
本発明は、シングルキャリア方式の伝送システムに係り、特に比較的鋭い指向特性のアンテナを用いた無線中継用に好適なシングルキャリア受信装置および受信方法に関するものである。
【背景技術】
【０００２】
テレビ放送業務の一環に中継業務があり、このとき中継現場の映像をテレビ局まで無線伝送するためのＦＰＵ(Field Pickup Unit)変調方式の一種として、シングルキャリアＱＡＭ方式が近年、広く採用されるようになり、ＡＲＩＢ ＳＴＤ−Ｂ１１として規格化されている。
【０００３】
ところで、この伝送方式は、主として固定無線中継に使用されているが、この場合、伝送回線を確立するため、中継現場および受信点では、電波を送出する方向または到来する方向にアンテナを正確に向けるというアンテナ方向調整が必要になる(例えば特許文献１等を参照)。
そこで、以下図３により、このアンテナ方向の調整のために従来から用いられている方法について説明する。
【０００４】
図３において、まず、シングルキャリアＱＡＭ送信ベースバンド部３１と送信高周波部３２及び送信アンテナ３３は中継現場に設置され、次に、受信アンテナ１と受信高周波部２、受信ベースバンド部３７及び受信信号レベル表示器３８は、テレビ放送局などの中継受信側に設置されている。
そして、中継現場では、送信ベースバンド部３１と送信高周波部３２において生成された伝送信号が送信アンテナ３３により電波として送出される。
【０００５】
この結果、送信アンテナ３３から放射された電波が伝送路３４を経由してテレビ放送局などの中継受信側にある受信アンテナ１に到達することになる。
ところが、このとき伝送路３４では、建物等による伝播経路の遮断や大気、降雨により電波レベルの減衰が生じる。
【０００６】
そこで、受信アンテナ１により受信された信号は、受信高周波部２に入力され、ここでアナログ検波器により受信信号レベルを検出して自動利得制御が施され、最適レベルになるように増幅された上で最終的に受信ベースバンド部３７に供給され、ここで復調された上で、放送用の信号として用いられる。
【０００７】
このとき、アンテナの方向調整のため、受信高周波部２から得られた受信信号を受信信号レベル表示器３８に供給する。
そして、この受信信号レベル表示器３８により受信信号のレベルをメータ指針の振れや、スピーカから発せられる音の大きさや音色などに変換し、受信信号のレベルがオペレータに認識できるようにしておく。
【０００８】
そこで、中継現場のオペレータと中継受信側のオペレータは、相互に連絡をとり、受信信号レベル表示器３８に表示される受信信号のレベルを見ながら、送信アンテナ３３と受信アンテナ１の方向を上下左右に微妙に動かし、受信信号レベルが最大になる方向を探索することにより送信アンテナ３３と受信アンテナ１の方向を調整するのである。
【先行技術文献】
【特許文献】
【０００９】
【特許文献１】第４３５４００４号特許公報
【発明の開示】
【発明が解決しようとする課題】
【００１０】
上記従来技術は、アンテナの方向調整に或る程度以上のレベルの受信信号を要する点に配慮がされておらず、初期段階では方向調整が極めて困難であるという問題がある。
ここで、従来のアンテナ方向調整方法においては、受信信号レベルを受信高周波部のアナログ検波器により検出していた。
【００１１】
しかし、この場合、受信信号レベルが低くなると、受信高周波部の初段増幅器の雑音に受信信号が埋もれてしまい、精度の良い検出が困難であり、このため、従来技術では、精度の良い検出を行うためには、検波器の精度にも依存するが、例えば７ｄＢ以上のＣ／Ｎが必要であった。
【００１２】
例えば、受信信号レベルが−９０ｄＢｍ程度でＣ／Ｎが約７ｄＢとなる場合には、受信信号が−９０ｄＢｍを下回るようなレベルを検出することは、従来技術では困難で、この結果、例え送信信号が中継受信側のアンテナに到達していたとしても、それが僅かなレベルの受信信号であった場合、中継受信側では受信信号を捕らえることができず、結局、従来技術ではアンテナ方向調整ができなかった。
【００１３】
しかも、ＦＰＵ方式の場合、高いアンテナ利得を得るため、狭い指向角のアンテナを使用することが多い。このため、まだ送受間のアンテナの方向調整がなされていない、アンテナ方向調整の初期段階では、当然のことながら受信信号レベルは非常に低く、−９０ｄＢｍを下回ることも珍しくない。
【００１４】
本発明の目的は、受信信号のレベルがかなり低くても受信信号の存在が検出できるようにしたシングルキャリア受信装置を提供することにある。
【課題を解決するための手段】
【００１５】
上記課題を解決するために、本発明は、シングルキャリア信号を伝送する伝送装置の送信装置において、伝送信号のフレーム構成が振幅及び位相が既知であるプリアンブル信号とデータを伝送するデータ信号から構成された信号を伝送する。
上記伝送信号を受信する伝送装置の受信装置においては、複素受信サンプリング系列と送信部で挿入したプリアンブル信号の複素共役信号との複素乗算演算を行い、複素乗算結果に対して、１サンプル遅延した信号の複素共役信号と遅延しない信号の複素乗算を演算することでキャリア周波数ずれによる回転成分を除去する。
【００１６】
上記演算結果を所定のサンプル期間ＮＰ（ＮＰは自然数）で積分した結果に基づいて、受信信号レベルを推定する手段を具備することを特徴とする受信装置を提供する。
更に、上記積分結果のＳ／Ｎを改善するため、フレーム方向に平均化を行い、平均化結果に対して所定の時間幅Ｗ(Ｗは自然数)を有する窓関数との畳み込み演算を行う。畳み込み演算結果から最大値を検出して、検出した最大値に基づいて、受信信号レベルを推定する手段を具備することを特徴とする受信装置も提供する。
【００１７】
更に、上記推定した受信信号レベルに基づき受信アンテナの方向調整用信号を生成し、該生成した方向調整用信号を用いて受信アンテナの方向調整を行うことを特徴とする受信装置のアンテナ方向調整方法及びその装置を提供するものである。
【００１８】
従って、上記目的は、１フレームにプリアンブル信号とデータ信号を備えたシングルキャリア信号を伝送する伝送装置の受信装置において、前記シングルキャリア信号から変換された受信サンプリング系列と前記プリアンブル信号の複素共役信号との複素乗算を演算する複素乗算手段と、前記複素乗算手段による複素乗算結果に対して、１サンプル遅延した信号の複素共役信号と遅延しない信号の複素乗算を演算する差分処理手段と、前記差分処理手段による演算結果を所定のサンプル期間ＮＰ(ＮＰは自然数)で積分する積分手段とを設け、前記積分手段による積分結果に基づいて受信信号レベルを推定することにより達成される。
【００１９】
このとき、更に、前記積分手段による積分結果をフレーム方向に平均化する加算平均手段と、前記加算平均手段による平均化結果に対して所定の時間幅Ｗ(Ｗは自然数)を有する窓関数との畳み込み演算を行う矩形フィルタ手段とを設け、前記矩形フィルタ手段による畳み込み演算結果から最大値を検出し、検出した最大値に基づいて、受信信号レベルを推定するようにしてもよく、更にその上で、前記推定した受信信号レベルに基づいて受信アンテナの方向調整用信号を生成し、該生成した方向調整用信号を用いて受信アンテナの方向調整を行うようにしてもよい。なお、本発明は、上記した各手段から構成される受信装置から成り立つものであるが、各手段における各処理又は各演算に基づく受信方法も本発明の発明対象である。
【発明の効果】
【００２０】
本発明によれば、アンテナの方向調整の初期段階において、受信信号のＣＮ比が−１０ｄＢ程度であっても、つまり受信信号レベルが−１０７ｄＢｍ程度であっても、信号の存在が検出できるようになる。
従って、本発明によれば、アンテナの方向を変えながら受信信号レベルが最大になる方向を探すことができ、この結果、容易にアンテナ方向を調整することができる。
【図面の簡単な説明】
【００２１】
【図１】本発明によるシングルキャリア受信装置の一実施の形態を示すブロック構成図である。
【図２】シングルキャリア方式における送信フレームフォーマットの説明図である。
【図３】従来技術によるアンテナ方向調整システムのブロック構成図である。
【図４】本発明の一実施の形態における複素乗算部の構成図である。
【図５】キャリア周波数ずれによる複素乗算信号の回転を示す説明図である。
【図６】本発明の一実施の形態における差分処理部と積分器の構成図である。
【図７】シングルキャリア方式における積分信号Ｉ(m)とフレームタイミングの関係を示す説明図である。
【図８】本発明の一実施の形態における入力Ｃ／Ｎ対積分器出力Ｓ／Ｎの特性図である。
【図９】マルチパスが混入したときの本発明の一実施の形態における加算平均部と矩形フィルタ部の出力信号の波形図である。
【図１０】本発明の一実施の形態における受信電力変換部の変換特性の一例を示す特性図である。
【発明を実施するための形態】
【００２２】
以下、本発明によるシングルキャリア受信装置および受信方法について、図示の実施の形態により詳細に説明する。  
まず、具体的な実施形態について説明する前に、シングルキャリア方式における送信信号の信号フォーマットについて説明すると、図２に示すように、この場合の送信信号は、受信部での等化処理を容易にするためのプリアンブル信号Ｐ(m)からなるサンプル期間ＮPと、データ信号Ｄ(m)を伝送するためのデータ期間ＮD とでフレームが構成されている。ここで、ｍはサンプル番号である。
【００２３】
そして、プリアンブル信号Ｐ(m)は、プリアンブル期間ＮP の間、振幅、位相が既知の信号で生成される。
このときの既知の信号の生成方法としては、既知の擬似ランダム信号(ＰＮ)などを用い、ＢＰＳＫやＱＰＳＫなどの変調方式を用いた信号とすることが多い。
【００２４】
次に、データ期間ＮD の信号Ｄ(m)はＢＰＳＫ方式から６４ＱＡＭ方式など、伝送レートに応じた変調方式を用いてデータを伝送する。このときデータ期間長はＮD サンプルとする。
そして、このようにフレーミングされた信号を繰り返し伝送する。
【００２５】
そこで、本発明においては、このプリアンブル期間の信号Ｐ(m)を用いて受信信号レベルを算定するようにした点を特徴とするものであり、以下、図１の実施形態を用いて詳細に説明する。
既に説明したように、中継現場の送信アンテナから電波として送出された信号は受信アンテナ１で受信され、受信高周波部２により周波数変換されてベースバンド信号に変換される。
【００２６】
このベースバンド信号はＡ／Ｄ３に入力され、ここで受信サンプリング系列Ｒin(m)を得る。
そして、得られた受信サンプリング系列Ｒin(m)は直交検波器４に入力され、ここで実数信号からＩＱ複素信号への変換処理が施され、受信複素サンプリング系列Ｚ(m)として出力される。ここで、上記したように、ｍはサンプル番号である。
【００２７】
この直交検波処理はデジタル信号処理で行ってもよいが、アナログの直交ミキサを用いて行い、ＩＱの夫々にＡ／Ｄ変換器を用いてサンプリングすることにより実現してもよい。
得られた受信複素サンプリング系列Ｚ(m)は複素乗算部５に入力される。
【００２８】
この複素乗算部５では、図４に示すように、プリアンブル期間ＮP と同程度の長さを有するシフトレジスタなどの記憶素子４１に受信複素サンプリング系列Ｚ(m)を入力し、次の式(1)に示すように、シフトレジスタ４１の各段の値Ｚ(m+t)と、送信側で予め規定されたプリアンブル信号Ｐ(t)に対する複素共役信号Ｐ*(t)との複素乗算を演算し、複素乗算信号Ｍ(m+t)を得る。
【００２９】
式(1)
0005706194.tif 000002
【００３０】
ここで、特にプリアンブル信号がＢＰＳＫ変調されている場合には、複素乗算処理はＺ(m+t)の符号を反転／非反転する処理により簡易に実現できる。
このとき受信装置において、送信側のクロック周波数とキャリア周波数が正確に再生できている場合であって、シフトレジスタ４１に入力されるタイミングが受信サンプル系列Ｚ(m)のプリアンブル期間と一致している場合、複素乗算信号Ｍ(m+t)は全て同位相の信号となる。
【００３１】
しかし、本発明においては、低Ｃ／Ｎでの受信信号電力推定を目的としているため、Ｃ／Ｎが低い領域での正しいキャリア再生処理は困難で、キャリア周波数がずれる可能性が高い。そして、このような場合、複素乗算信号Ｍ(m)はＮＰサンプル期間内で一定の位相ずれが生じ、図５に示すように回転する。
このときの回転量は、キャリア周波数ずれ量をΔｆとすると、プリアンブル期間の複素受信サンプリング系列Ｚ(m)は、次の式(2)で表される。
【００３２】
式(2)
0005706194.tif 000003
【００３３】
ここで、ｆCLK は受信クロック周波数、θは固定位相、Ｎ(m)は雑音信号を示している。
従って、回転が生じた場合の式(1)で示した複素乗算信号Ｍ(m+t)は、次の式(3)で表される。
【００３４】
式(3)
0005706194.tif 000004
【００３５】
ただし、このとき、次の式(4)の通りにした。
【００３６】
式(4)
0005706194.tif 000005
【００３７】
ところで、一般的な相関処理では、Ｍ(m+t)を積分範囲ＮＰで積分処理するが、このような回転が生じた信号の場合、そのまま積分処理すると、逆極性の信号同士で相殺してしまい、その結果は０に近い値となってしまう。
【００３８】
このため、この実施形態では、複素乗算信号Ｍ(m+t)を差分処理部６に入力し、この回転成分を除去している。
ここで、この差分処理部６では、図６及び式(5)に示すように、複素乗算信号Ｍ(m+t)と、その１サンプル後の信号Ｍ(m+t+1)の複素共役信号との複素乗算を行う。
【００３９】
式(5)
0005706194.tif 000006
【００４０】
そして、この式(5)に、上記の式(3)で示すキャリア周波数ずれによる回転が生じた複素乗算信号Ｍ(m)を代入すると、次の式(6)となる。
【００４１】
式(6)
0005706194.tif 000007
【００４２】
ここで、この式(6)において、第一項は信号成分を示し、第二〜四項は雑音成分である。
そこで、これら第二〜四項を「Ｎ'(m+t)」で置換えると、次の式(7)となる。
【００４３】
式(7)
0005706194.tif 000008
【００４４】
そして、この式(7)において、受信キャリア再生周波数に急激な変動がないと仮定する。つまりΔｆが一定であるとする。
そうすると、差分結果Ｄ(m)はサンプル数ｍによらず一定値となり、回転成分を除去することができる。
次に、積分器７では、次の式(8)に示すように、差分信号Ｄ(m+t)をｔについて積分し、積分結果を絶対値二乗演算して、積分信号Ｉ(m)を出力する。
【００４５】
式(8)
0005706194.tif 000009
【００４６】
この差分処理により、差分信号Ｄ(m+t)は、全ての位相がほぼ一致し、この結果、図７に示すように、積分結果は、受信信号のプリアンブル期間と、積分期間が一致したときに大きな値を有するようになる。
そこで、次に、この積分器７の出力信号Ｉ(m)のＳ／Ｎについて説明する。
【００４７】
まず、信号成分Ｓは、積分器７の出力Ｉ(m)の最大値であり、信号電力の約ＮP 倍となる。
また、雑音成分Ｎは、上記の式(6)により、σ2＋σとなる。ここで、σ2 は入力段でのＣ／Ｎで定義した雑音電力を示している。
以上の結果、積分器出力のＳ／Ｎは、次の式(9)に示すようになる。
【００４８】
式(9)
0005706194.tif 000010
【００４９】
ここで、式(9)の一例として、上記したＡＲＩＢ ＳＴＤ−Ｂ１１で規定されるＦＰＵ規格について言及すると、この場合、プリアンブル期間はＮＰ＝２４０サンプルであり、このときの積分器７の出力Ｉ(m)のＳ／Ｎは、図８に示すようになり、この場合、Ｃ／Ｎが−１０ｄＢのときのＳ／Ｎは約３ｄＢ程度である。
【００５０】
ところで、既に説明したように、Ｓ／Ｎが３ｄＢ程度では信号と雑音の分別が困難である。
そこで、この実施形態においては、積分器７の出力結果Ｉ(m)を加算平均部８に入力する。そして、この加算平均部７ではフレーム方向に加算平均を行い、Ｓ／Ｎの改善が得られるようにしている。
【００５１】
既に図２に示したように、この場合のフレーム長は(ＮP＋ＮD)であり、このとき移動平均型の加算平均処理では過去Ｋフレームの積分結果Ｉ(m)を加算平均処理する。
従って、この平均処理は次の式(10)に示すようになる。
【００５２】
式(10)
0005706194.tif 000011
【００５３】
そこで、いま、この式(10)において、例えば加算回数Ｋを１００とすると、約２０ｄＢのＳ／Ｎ改善効果が得られることになる。
そうすると、前述したＦＰＵの例において、入力Ｃ／Ｎが−１０ｄＢの環境では加算平均部８の出力結果Ｉ(m)のＳ／Ｎは約２３ｄＢになり、この場合、信号成分と雑音成分の分別は容易にできることが判る。
【００５４】
従って、この実施形態によれば、低いＣ／Ｎでも受信信号レベルに応じた信号レベルが出力されることになり、この結果、アンテナの方向調整の初期段階での微弱な受信信号も容易に捉えることができる。
【００５５】
ところで、以上は、伝搬路(伝送路)のモデルとして、単純な加法性白色雑音モデル(ＡＷＧＮ)を想定した場合のものであるが、実際の伝搬路では複数の反射波が存在するマルチパス環境である場合が想定される。
そこで、この実施形態では、加算平均部７による加算平均結果Ｆ(m)を矩形フィルタ部９に入力し、ここで複数存在するマルチパスのエネルギーの総和を演算して出力信号Ｃ(m)を得る。
【００５６】
このときの具体的な演算処理について、図９を用いて説明する。
いま、図９の(a)に示すようにマルチパスが混入した加算平均結果Ｆ(m)に対して、所定の時間幅Ｗを有する矩形窓を畳み込み演算すると、図９の(b)に示すような出力信号Ｃ(m)が得られる。
このときの窓幅Ｗとしては、予め想定されるマルチパスの最長遅延時間をＬとすると、窓幅ＷはＬ以上であることが望ましい。
【００５７】
しかし、窓幅Ｗを必要以上に長く設定すると、窓幅Ｗ内の雑音成分が多くなり、Ｓ／Ｎが劣化してしまうため、適切な幅に設計する必要がある。
ここで、受信機側でマルチパス遅延時間を逐次算出できる場合には、窓幅Ｗを受信環境に応じて適応的に制御しても良い。
【００５８】
矩形フィルタ部９の出力信号Ｃ(m)は最大値検出部１０に入力され、フレーム毎にＣ(m)の最大値ＭＡＸを算出する。そして、この最大値ＭＡＸは最大値平均部１１にて更に平均化され、ここで擾乱成分を除去する。
このときの平均化の時定数については、加算平均部８と最大値平均部１１の合計の時定数が、アンテナの方向調整制御に素早く追従できる程度に短く、例えば数百ｍｓｅｃ以内に短く設計することが望ましい。
【００５９】
従って、この実施形態によれば、複数の反射波が存在するマルチパス環境においても、擾乱成分が除去できるので、上記したＳ／Ｎ改善効果と相俟って、低いＣ／Ｎでも受信信号レベルに応じた信号レベルが出力されることになり、この結果、アンテナの方向調整の初期段階での微弱な受信信号も容易に捉えることができる。
【００６０】
最大値平均部１１の出力信号は受信電力変換部１２に入力され、ここで入力値に対応した受信電力レベルに変換して出力する。そこで、次に、この変換の詳細について図１０を用いて説明する。
通常、受信装置では、受信条件で大きく変化する受信信号のレベルを自動利得制御(Automatic Gain Control:AGC)回路により一定のレベルになるような制御を行った後に、各種の信号処理を実施する方式が用いられている。
【００６１】
そして、このことは、この実施形態でも例外ではない。
そうすると、この場合、Ａ/Ｄ３に入力される信号Ｒin(m)の電力も一定に保たれていることになり、この結果、最大値平均部１１の出力信号は、図１０に破線で示してある理想特性のようにはならず、鎖線で示すように、Ｃ／Ｎが高くなると、つまり受信信号レベルが大きくなると、最大値平均部１１の出力信号レベルは或る一定値に漸近してしまう。
【００６２】
そこで、受信電力変換部１２では、最大値平均部１１の出力レベルに、図１０の実線で示したように、その逆特性である補正特性を乗じることで、受信レベルを破線で示す理想特性になるように変換し、変換した受信レベルを方向調整信号Ａとして出力する。このとき図１０に示されているように、受信レベル信号の値をｄＢ単位に変換しているが、アンテナの方向調整が容易になる任意の単位系の値に変換しても良い。
【００６３】
以上に説明した処理により、更に低いＣ／Ｎでも受信信号レベルに応じた信号レベルが受信電力変換部１２から出力でき、受信アンテナの方向調整の初期段階においても微弱な受信信号を捉えることができるようになる。
こうして受信電力変換部１２から出力された方向調整信号Ａは、受信信号レベル表示器１３に入力される。
【００６４】
そして、この受信信号レベル表示器１３では、アンテナ方向の調整がオペレータにより実施しやすいように、方向調整信号Ａのレベルをメータ指針の振れやモニタ面での波形、色など視覚的な情報に変換して表示し、オペレータに認知できるようにする。
このとき、音階、音量等の聴覚的な情報に変換して表示が得られるようにしても良い。
【００６５】
そこで、この実施形態によれば、方向調整信号Ａのレベルがオペレータに容易に認識でき、しかもこのとき、上記したように、受信信号のＣ／Ｎが−１０ｄＢ程度でも受信信号のレベルが正確に検出でき、この結果、この実施形態によれば、Ｃ／Ｎが−１０ｄＢ程度の受信信号レベルで、受信検波レベルを用いる従来技術によっては受信信号の存在すら検出できない受信アンテナの方向調整の初期段階においても、容易に受信信号レベルが検出できる。
【００６６】
従って、この実施形態によれば、オペレータは、算出した方向調整信号Ａを用いることにより、受信信号レベルが最大になる方向を、受信アンテナの方向を変えながら容易に探しだすことができる。
そして、この結果、この実施形態によれば、受信アンテナの方向調整が簡単なシステムを容易に構築することができる。
【産業上の利用可能性】
【００６７】
本発明は、中継現場の映像をテレビ局まで無線伝送するためのＦＰＵ方式と呼ばれるシングルキャリア伝送方式に利用することができる。
【符号の説明】
【００６８】
１  受信アンテナ
２  受信高周波部
３  Ａ／Ｄ(アナログ・デジタル変換器)
４  直交検波器
５  複素乗算部
６  差分処理部
７  積分器
８  加算平均部
９  矩形フィルタ部
１０  最大値検出部
１１  最大値平均部
１２  受信電力変換部
１３  受信信号レベル表示器
【図１】
0005706194.tif 000012
【図２】
0005706194.tif 000013
【図３】
0005706194.tif 000014
【図４】
0005706194.tif 000015
【図５】
0005706194.tif 000016
【図６】
0005706194.tif 000017
【図７】
0005706194.tif 000018
【図８】
0005706194.tif 000019
【図９】
0005706194.tif 000020
【図１０】
0005706194.tif 000021